(57)【特許請求の範囲】
【請求項１】
テープカセット内に、テープを装着するためのテープ装着用治具において、
前記テープを支持するテープ用支持部を有するとともに、前記テープの走行通路に沿って形成されたテープ用案内部を有する治具板と、
前記テープ用案内部に係合し、テープの自由端の先端を引き回すためのテープ用引き回し治具とを有し、
前記治具板をテープカセットを構成する下側カセット又は上側カセットに載置した状態でテープを引き回すことを特徴とするテープ装着用治具。
【請求項２】
請求項１に記載のテープ装着用治具において、
前記治具板は、前記テープに貼着される粘着テープを支持する粘着テープ用支持部を有するとともに、粘着テープの走行通路に沿って形成された粘着テープ用案内部を有し、
更に、前記粘着テープ用案内部に係合し、粘着テープの先端を保持しながら粘着テープを引き回すための粘着テープ用引き回し治具を備えることを特徴とするテープ装着用治具。
【請求項３】
請求項２に記載のテープ装着用治具において、
前記治具板は、前記テープカセットを構成する上側カセット及び下側カセットのいずれか一方に装着でき、前記テープ用支持部及び粘着テープ用支持部にテープ及び粘着テープを、装着されたカセットに移動可能に支持していることを特徴とするテープ装着用治具。
【請求項４】
請求項２または請求項３に記載のテープ装着用治具において、
前記治具板は、前記テープ用案内部と前記粘着テープ用案内部とが相互に連結する連結部を有し、この連結部に前記テープ用引き回し治具及び前記粘着テープ用引き回し治具が位置する際に、前記テープの先端及び前記粘着テープの先端が相互に貼着されることを特徴とするテープ装着用治具。
【請求項５】
請求項２乃至請求項４のいずれかに記載のテープ装着用治具において、
前記テープ用引き回し治具及び前記粘着テープ用引き回し治具は、位置合わせ用の嵌合部をそれぞれ備えていることを特徴とするテープ装着用治具。
【請求項６】
上側カセットと下側カセットとからなるカセットケース内に、テープを巻回したテープリールを回転可能に支持し、テープリールからテープを引き出しつつテープ上に文字等を印字して文字付テープを作成するテープカセットに対し、テープを装着する装着方法であって、
前記テープを支持するテープ用支持部を有するとともに、テープの走行通路に沿って形成されたテープ用案内部を有する治具板を、下側カセット及び上側カセットのいずれか一方に装着した状態で、前記テープ用支持部に支持されたテープを、前記装着したカセット側に移動させ、
テープ用引き回し治具を、前記テープ用案内部に係合させながら、テープの自由端の先端を引き回すことを特徴とするテープ装着用治具を用いた装着方法。
【請求項７】
上側カセットと下側カセットとからなるカセットケース内に、テープを巻回したテープリールと、粘着テープを巻回した粘着テープリールとを回転可能に支持し、各テープリールからテープを引き出しつつテープ上に文字等を印字するとともに、テープの文字印字面に粘着テープリールから引き出した粘着テープを貼着して文字付テープを作成するテープカセットに対し、テープ及び粘着テープを装着する装着方法であって、
前記テープ及び粘着テープを支持するテープ用支持部及び粘着テープ用支持部を有するとともに、テープ及び粘着テープの各走行通路に沿って形成されたテープ用案内部及び粘着テープ用案内部を有する治具板を、下側カセット及び上側カセットのいずれか一方に装着した状態で、前記テープ用支持部及び粘着テープ用支持部に支持されたテープ及び粘着テープを装着したカセット側に移動させ、
テープ用引き回し治具及び粘着テープ用引き回し治具を、前記テープ用案内部及び粘着テープ用案内部にそれぞれ係合させながら、テープの自由端の先端及び粘着テープの自由端の先端を引き回し、これらテープの先端及び粘着テープの先端を相互に貼着することを特徴とするテープ装着用治具を用いた装着方法。
【発明の詳細な説明】
【０００１】
【発明の属する技術分野】
本発明は、テープ印字装置に使用されるテープカセット内に、テープ等を装着するためのテープ装着用治具及びその治具を用いた装着方法に関し、特にテープカセット内に収納されるテープの装着等を容易にし、リサイクル等を促進することができるテープ装着用治具及びその治具を用いた装着方法に関するものである。
【０００２】
【従来の技術】
従来より、文字付テープを作成するため、テープカセットを使用したテープ印字装置が種々提案されている。かかるテープカセットは、一般に、インクリボンを巻回したリボンリール、被印字テープを巻回したテープリール、及び、粘着テープを巻回した粘着テープリールをカセットケース内に備えており、文字付テープの作成時には、各インクリボン及び被印字テープを搬送しつつ、テープ印字装置に付設されたサーマルヘッドによりインクリボンを介して被印字テープ上に文字等の印字を行った後、被印字テープの文字印字面に粘着テープを貼着して文字付テープが作成される。
かかる従来のテープカセットでは、被印字テープ、インクリボン及び粘着テープを使い切った場合に、新たな被印字テープ、インクリボン及び粘着テープをテープカセット内に詰め替えることについては何ら考慮していなかったため、それらを使い切った場合には、リサイクルできる部品等がまだあるにもかかわらず、テープカセットの利用価値はなくなり、捨てるのが現状である。
【０００３】
【発明が解決しようとする課題】
近年、ゴミ問題の関係上、リサイクルの要望が高まり、テープカセットについても、被印字テープ、インクリボン等を新たに詰め替えて、リサイクルするのが望ましい。
ところで、テープカセット内の被印字テープ、インクリボン及び粘着テープを新たに収納した際に、被印字テープ、インクリボン及び粘着テープを所定通路に沿って走行させるべく、被印字テープ、インクリボン及び粘着テープを所定通路に沿って引き回して配置する必要があったが、所定通路が複雑になっている場合、これら被印字テープ、インクリボン及び粘着テープを正しく引き回すには、煩雑な手間が要した。
また、前記粘着テープを使用しないタイプのテープカセットについても、被印字テープ及びインクリボンを新たに詰め替えて、リサイクルするのが望ましいが、被印字テープ及びインクリボンを正しく引き回すのに、同様な問題があった。
【０００４】
本発明は、前記従来の問題点を解消するためになされたものであり、テープカセット内に収納されるテープ等の装着を容易にし、リサイクル等を促進することができるテープ装着用治具及びその治具を用いた装着方法を提供することを目的とする。
【０００５】
【課題を解決するための手段及び発明の効果】
前記目的を達成するため、請求項１に記載の発明によれば、テープカセット内に、テープを装着するためのテープ装着用治具において、前記テープを支持するテープ用支持部を有するとともに、前記テープの走行通路に沿って形成されたテープ用案内部を有する治具板と、前記テープ用案内部に係合し、テープの自由端の先端を引き回すためのテープ用引き回し治具とを有し、前記治具板をテープカセットを構成する下側カセット又は上側カセットに載置した状態でテープを引き回すことを特徴とする。
【０００６】
このように治具板のテープ用支持部が、テープを支持し、テープ用引き回し治具をテープ用案内部に係合させながら、テープの先端を引き回す。それにより、テープを走行通路に沿って引き回す作業が容易になって、テープカセット内にテープを容易に装着することができ、リサイクル等を促進することができる。
【０００７】
また、請求項２に係るテープ装着用治具は、請求項１に係る発明において、前記治具板は、前記テープに貼着される粘着テープを支持する粘着テープ用支持部を有するとともに、粘着テープの走行通路に沿って形成された粘着テープ用案内部を有し、更に、前記粘着テープ用案内部に係合し、粘着テープの先端を保持しながら粘着テープを引き回すための粘着テープ用引き回し治具を備えることを特徴とする。
それにより、粘着テープが粘着テープ用支持部によって支持された状態で、粘着テープ用引き回し治具を粘着テープ用案内部に係合させながら粘着テープの先端を引き回し、粘着テープの先端をテープに貼着することができる。従って、粘着テープの先端をテープに貼着する作業が容易になる。
【０００８】
また、請求項３に係るテープ装着用治具は、請求項２に記載の発明において、前記治具板は、前記テープカセットを構成する上側カセット及び下側カセットのいずれか一方に装着でき、前記テープ用支持部及び粘着テープ用支持部にテープ及び粘着テープを、装着されるカセットに移動可能に支持していることを特徴とする。
このように治具板を上側カセットまたは下側カセットに装着し、その装着されたカセットにテープ及び粘着テープを移動させるので、テープ及び粘着テープをテープカセット内に装着する作業が容易になる。
【０００９】
また、請求項４に係るテープ装着用治具は、請求項２または請求項３に記載の発明において、前記治具板は、前記テープ用案内部と前記粘着テープ用案内部とが相互に連結する連結部を有し、この連結部に前記テープ用引き回し治具及び前記粘着テープ用引き回し治具が位置する際に、前記テープの先端及び前記粘着テープの先端が相互に貼着されることを特徴とする。
それにより、前記テープ用案内部と前記粘着テープ用案内部との連結部に、前記テープ用引き回し治具及び前記粘着テープ用引き回し治具が位置すれば、テープの先端及び前記粘着テープの先端が相互に貼着されることになるので、その貼着作業が容易になる。
【００１０】
また、請求項５に係るテープ装着用治具は、請求項２乃至請求項４のいずれかに記載の発明において、前記テープ用引き回し治具及び前記粘着テープ用引き回し治具は、位置合わせ用の嵌合部をそれぞれ備えている。
このように前記テープ用引き回し治具の位置合わせ用の嵌合部（例えば凸部または凹部）と、前記粘着テープ用引き回し治具の位置合わせ用の嵌合部（例えば凹部または凸部）とが嵌合することにより、テープの先端及び前記粘着テープの先端を位置ズレすることなく重ね合わせることができる。
【００１１】
また、請求項６に係るテープ装着用治具を用いた装着方法によれば、上側カセットと下側カセットとからなるカセットケース内に、テープを巻回したテープリールを回転可能に支持し、テープリールからテープを引き出しつつテープ上に文字等を印字して文字付テープを作成するテープカセットに対し、テープを装着する装着方法であって、前記テープを支持するテープ用支持部を有するとともに、テープの走行通路に沿って形成されたテープ用案内部を有する治具板を、下側カセット及び上側カセットのいずれか一方に装着した状態で、前記テープ用支持部に支持されたテープを、前記装着したカセット側に移動させ、テープ用引き回し治具を、前記テープ用案内部に係合させながら、テープの自由端の先端を引き回すことを特徴とする。
それにより、テープが、テープ用支持部によって支持された状態で、テープ用引き回し治具をテープ用案内部に係合させながら移動させると、テープの先端を引き回すことができるので、テープを走行通路に沿って引き回す作業が容易になって、テープカセット内にテープを容易に装着することができる。
【００１２】
また、請求項７に係るテープ装着用治具を用いた装着方法によれば、上側カセットと下側カセットとからなるカセットケース内に、テープを巻回したテープリールと、粘着テープを巻回した粘着テープリールとを回転可能に支持し、各テープリールからテープを引き出しつつテープ上に文字等を印字するとともに、テープの文字印字面に粘着テープリールから引き出した粘着テープを貼着して文字付テープを作成するテープカセットに対し、テープ及び粘着テープを装着する装着方法であって、前記テープ及び粘着テープを支持するテープ用支持部及び粘着テープ用支持部を有するとともに、テープ及び粘着テープの各走行通路に沿って形成されたテープ用案内部及び粘着テープ用案内部を有する治具板を、下側カセット及び上側カセットのいずれか一方に装着した状態で、前記テープ用支持部及び粘着テープ用支持部に支持されたテープ及び粘着テープを装着したカセット側に移動させ、テープ用引き回し治具及び粘着テープ用引き回し治具を、前記テープ用案内部及び粘着テープ用案内部にそれぞれ係合させながら、テープの自由端の先端及び粘着テープの自由端の先端を引き回し、これらテープの先端及び粘着テープの先端を相互に貼着することを特徴とする。
それにより、テープ及び粘着テープ用支持部が、テープ用支持部及び粘着テープ用支持部によって支持された状態で、テープ用引き回し治具を前記テープ用案内部に係合させながら移動させるとともに、粘着テープ用引き回し治具を粘着テープ用案内部に係合させながら移動させると、テープの先端及び粘着テープの先端を引き回し、これらテープの先端及び粘着テープの先端を相互に貼着することができる。従って、テープ及び粘着テープを走行通路に沿って引き回す作業が容易になって、テープカセット内にテープ及び粘着テープを容易に装着することができる。
【００１３】
【発明の実施の形態】
以下、本発明に係るテープ装着用治具及びその治具を用いた装着方法について図面を参照しつつ詳細に説明する。図１は実施形態に係るテープ印字装置１の平面図であり、図２はそのテープ印字装置１に使用されるテープカセットＴＣの拡大斜視図である。図３は上側カセットＴ２を外した状態の下側カセットＴ１を拡大して示す平面図である。
【００１４】
図１のテープ印字装置１には、文書データからなるテキストを作成するための文字入力キー２、テキストの印字を指令する印字キー３、及び、改行指令や各種処理の実行、選択を指令するリターンキーＲ、文字等のキャラクタを複数行に渡って表示する液晶ディスプレイ７上でカーソルを上下、左右に移動させるカーソルキーＣ等を設けたキーボード６、及び、テープカセットＴＣを収納するカセット収納部８が配設されている。
このカセット収納部８には、記録ヘッドとしてのサーマルヘッド９と、このサーマルヘッド９に対向するプラテンローラ１０と、このプラテンローラ１０の下流側のテープ送り用ローラ１１と、このテープ送り用ローラ１１に対向するテープ送り用スプール１２とが配置されている他に、更に、テープカセットＴＣ内に収納されるインクリボンを送るリボン送り用スプール１３等が配置されている。尚、このテープ印字装置１の詳細については、本願出願人が出願した例えば特開平８ー２５７５６号公報等を参照されたい。
【００１５】
この場合、テープカセットＴＣは、図２に示されるように、一面に剥離紙が貼付けられた両面粘着テープＤ１等を収納する下側カセットＴ１と、この下側カセットＴ１を覆う上側カセットＴ２とを備え、下側カセットＴ１から上側カセットＴ２が着脱可能となっている。その下側カセットＴ１は、図３に示されるように、両面粘着テープＤ１、印字を施すための未使用のインクリボンＩＲ及び被印字テープとしてのラミネート用カバーテープＹＴをそれぞれリールＴＣ１、ＴＣ２、ＴＣ３に巻回して収納しており（以下、リールＴＣ１を粘着テープリール、リールＴＣ２をリボンリール、リールＴＣ３をテープリールと称す）、更に、使用済みのインクリボンＩＲを巻取るインクリボン巻取リールＴＣ４、及び、テープ用送りリールＴＣ５を備えている。
【００１６】
この場合、テープカセットＴＣをカセット収納部８に収納すると、テープ送り用スプール１２がテープ用送りリールＴＣ５内に挿入されるとともに、リボン送り用スプール１３がインクリボン巻取リールＴＣ４内に挿入される。
その状態で、前記リボンリールＴＣ２に巻回された未使用インクリボンＩＲは、リボンリールＴＣ２から引き出され、アーム部ＴＣ６で前記ラミネート用カバーテープＹＴと重ね合わされた後、開口部ＴＣ７に入る。そして、開口部ＴＣ７に位置するインクリボンＩＲ及び前記ラミネート用カバーテープＹＴが、記録ヘッド９及びプラテン１０（図１参照）間で挟持された状態で、記録ヘッド９によってインクリボンＩＲ側から前記ラミネート用カバーテープＹＴ側へ記録転写（鏡像印字）が行われた後、インクリボンＩＲは、前記ラミネート用カバーテープＹＴから離され、インクリボン巻取リールＴＣ４により巻取られる。一方、記録転写が行われた前記ラミネート用カバーテープＹＴは、その転写面が両面粘着テープＤ１の粘着面に貼合わされて一体となって、テープ送り用ローラ１１及びテープ送り用スプール１２によってテープカセットＴＣ外へ搬送される。
【００１７】
かかるテープカセットＴＣ内の、インクリボンＩＲ、両面粘着テープＤ１及びラミネート用カバーテープＹＴを使い切った場合に、本願発明のテープ装着用治具２０を用いて、新たなインクリボンＩＲ、両面粘着テープＤ１及びラミネート用カバーテープＹＴを、テープカセットＴＣ内に詰めて、テープカセットＴＣをリサイクルするのが望ましい。以下その態様について、図４乃至図６を参照して説明する。
図４はその実施形態に係るテープ装着用治具２０等を拡大して示す分解斜視図である。図５は図４に示される粘着テープ用支持部２６等を示す拡大断面図である。図６は被印字テープ用引き回し治具２２及び粘着テープ用引き回し治具２３を結合した状態を示す拡大斜視図である。
【００１８】
下側カセットＴ１から上側カセットＴ２を外し、その下側カセットＴ１から使用済みのインクリボンＩＲ等を取り外した状態で、テープ装着用治具２０を用いる。テープ装着用治具２０は、図４に示されるように、平板状の治具板２１と、ラミネート用カバーテープＹＴの先端を保持しながらラミネート用カバーテープＹＴを引き回すための被印字テープ用引き回し治具２２と、両面粘着テープＤ１の先端を保持しながら両面粘着テープＤ１を引き回すための両面粘着テープＤ１用引き回し治具２３とを備えている。
【００１９】
そして、治具板２１は、ラミネート用カバーテープＹＴを支持する被印字テープ用支持部２４、前記インクリボンＩＲを支持するインクリボン用支持部２５及びラミネート用カバーテープＹＴに貼着される両面粘着テープＤ１を支持する粘着テープ用支持部２６を有する他に、前記ラミネート用カバーテープＹＴの走行通路に沿って形成された被印字テープ用案内部２７、及び、両面粘着テープＤ１の走行通路に沿って形成された粘着テープ用案内部２８を有し、更に、被印字テープ用案内部２７と前記粘着テープ用案内部２８とが相互に連結する連結部２９を有している。
【００２０】
具体的には、平面視ほぼＬ字形状の被印字テープ用案内部２７及び斜行する粘着テープ用案内部２８は、治具板２１の上下に貫通する溝からなり、これら溝が結合した連結部２９は、太幅状の溝となった後に細幅状の溝となり、支持板２１の外縁部２１ａと連設する。また、インクリボン用支持部２５は、この実施の形態の場合では、長尺状のインクリボンＩＲの両端を支持するため、リボンリールＴＣ２と係合する突状部２５ａと、インクリボン巻取リールＴＣ４と係合する突状部２５ｂとからなり、突状部２５ａにリボンリールＴＣ２が装着されるとともに、突状部２５ｂにインクリボン巻取リールＴＣ４が装着された状態においては、治具板２１の下面側に形成された屈曲状のリボンガイド３０（図４では、見やすいように治具板２１から下方側に分離して示す。）が、リボンリールＴＣ２から長く引き出されたインクリボンＩＲを位置決め支持する。
同様に、被印字テープ用支持部２４も突状部からなり、ラミネート用カバーテープＹＴを巻回したテープリールＴＣ３（図３参照）と対向するように治具板２１の下面側に設けられている。また、粘着テープ用支持部２６も突状部からなり、両面粘着テープＤ１を巻回した粘着テープリールＴＣ１（図３参照）と対向するように治具板２１の下面側に設けられている。
【００２１】
そのため、作業者は、両面粘着テープＤ１を巻回した粘着テープリールＴＣ１、インクリボンＩＲを巻回したリボンリールＴＣ２及びラミネート用カバーテープＹＴを巻回したテープリールＴＣ３を、治具板２１の粘着テープ用支持部２６、インクリボン用支持部２５及び被印字テープ用支持部２４にそれぞれ係合させることができるので、その状態で治具板２１を下側カセットＴ１上に載置する。尚、治具板２１の下方側には、位置決めピン（図示せず）が形成されているので、治具板２１を下側カセットＴ１上に位置ズレすることなく載置できる。
【００２２】
ここで、粘着テープ用支持部２６は、詳細には図５に示されるように、内部に中空部２６ａを有するとともに、中央大径部２６ｂから下方側に向かってテーパ面２６ｃをなす側壁からなるので、両面粘着テープＤ１を巻回した粘着テープリールＴＣ１を、以下の様に下側カセットＴ１に対して移動させることができる。すなわち、作業者がその粘着テープリールＴＣ１を支持する支持板２１を下側カセットＴ１上に載置すると、テープカセットＴＣ内の中空突部ＴＣ８（図３参照）が、テーパ面２６ｃに沿うように粘着テープ用支持部２６を収容するので、粘着テープ用支持部２６の側壁が中空部２６ａを押し潰すように狭まり、粘着テープ用支持部２６の中央大径部２６ｂが、粘着テープリールＴＣ１内の溝部ＴＣ１ａ（図５参照）から外れ、粘着テープリールＴＣ１は、両面粘着テープＤ１と一体的に自重で下側カセットＴ１側に移動して、中空突部ＴＣ８に装着される。
尚、被印字テープ用支持部２４及びインクリボン用支持部２５についても、粘着テープ用支持部２６と同様な構成になっているので、被印字テープ用支持部２４及びインクリボン用支持部２５にラミネート用カバーテープＹＴ及びインクリボンＩＲを、治具板２１から装着される下側カセットＴ１に対して移動することができる。
【００２３】
また、被印字テープ用引き回し治具２２及び粘着テープ用引き回し治具２３は、溝からなる被印字テープ用案内部２７及び粘着テープ用案内部２８内をそれぞれ貫通する貫通部２２ａ、２３ａを下側に備える他に、これら貫通部２２ａ、２３ａの上側に把持部２２ｂ、２３ｂに備えているので、作業者は把持部２２ｂ、２３ｂを持ちながら、貫通部２２ａ、２３ａを被印字テープ用案内部２７及び粘着テープ用案内部２８内で移動させることができる。
そして、前記貫通部２２ａ、２３ａは、ラミネート用カバーテープＹＴ及び両面粘着テープＤ１の先端を保持する切り込み２２ｃ、２３ｃを備えており、また、把持部２２ｂ、２３ｂは、位置合わせ用の凸部２２ｄ（嵌合部）及び位置合わせ用の凹部２３ｄ（嵌合部）を備えているので、これら位置合わせ用の凸部２２ｄ及び位置合わせ用の凹部２３ｄが嵌合した状態では、切り込み２２ｃ、２３ｃに保持されたラミネート用カバーテープＹＴの先端及び両面粘着テープＤ１の先端は相互に極めて近接することになる。
【００２４】
このように被印字テープ用案内部２７には、切り込み２２ｃにラミネート用カバーテープＹＴを支持する貫通部２２ａを貫通させることにより、被印字テープ用引き回し治具２２が係合し、また、粘着テープ用案内部２８には、切り込み２３ｃに両面粘着テープＤ１の先端を支持する貫通部２３ａを貫通させることにより、粘着テープ用引き回し治具２３が係合する。そのため、作業者は被印字テープ用引き回し治具２２を被印字テープ用案内部２７に沿って移動させるとともに、粘着テープ用引き回し治具２３を粘着テープ用案内部２８に沿って移動させると、下側カセットＴ１内の複雑なラミネート用カバーテープＹＴ用及び両面粘着テープＤ１用の走行通路に、ラミネート用カバーテープＹＴ用及び両面粘着テープＤ１をスムーズに引き回して配置することができ、かかる引き回す作業が容易になる。
そして、太幅状の溝から細幅状となった連結部２９に、図６に示されるように、被印字テープ用引き回し治具２２及び前記粘着テープ用引き回し治具２３が位置する際に、被印字テープ用引き回し治具２２の位置合わせ用の凸部２２ｄと粘着テープ用引き回し治具２３の凹部２３ｄとが嵌合することにより、ラミネート用カバーテープＹＴの先端及び両面粘着テープＤ１の先端を位置ズレすることなく重ね合わせることができる。
【００２５】
このように相互に結合した被印字テープ用引き回し治具２２及び粘着テープ用引き回し治具２３が支持板２１の外縁部２１ａに位置すると、作業者は被印字テープ用引き回し治具２２及び粘着テープ用引き回し治具２３を外縁部２１ａに沿うように回転移動させるので、ラミネート用カバーテープＹＴの先端及び両面粘着テープＤ１の先端が相互に貼着される。そして、被印字テープ用引き回し治具２２及び粘着テープ用引き回し治具２３を、ラミネート用カバーテープＹＴの先端及び両面粘着テープＤ１の先端から適宜外せば、インクリボンＩＲ、ラミネート用カバーテープＹＴ及び両面粘着テープＤ１が所定の走行通路に位置することになって、下側カセットＴ１内への取り付けが完了する。
その後、作業者が支持板２１を下側カセットＴ１から外せば、テープカセットＴＣ内に両面粘着テープＤ１、インクリボンＩＲ及びラミネート用カバーテープＹＴを新たに詰め替えて装着したことになるので、再び上側カセットＴ２を下側カセットＴ１に取り付ければ、テープカセットＴＣとして再使用でき、リサイクルが容易になる。
【００２６】
以上この実施の形態によれば、上側カセットＴ２と下側カセットＴ１とからなるテープカセットＴＣ内に、ラミネート用カバーテープＹＴを巻回したテープリールＴＣ３と、インクリボンＩＲを巻回したリボンリールＴＣ２と、両面粘着テープＤ１を巻回した粘着テープリールＴＣ１とを回転可能に支持し、各テープリールＴＣ３及びリボンリールＴＣ２からラミネート用カバーテープＹＴ、インクリボンＩＲを引き出しつつインクリボンＩＲを介してラミネート用カバーテープＹＴ上に文字等を印字するとともに、ラミネート用カバーテープＹＴの文字印字面に粘着テープリールＴＣ１から引き出した両面粘着テープＤ１を貼着して文字付テープを作成するテープカセットＴＣに対し、ラミネート用カバーテープＹＴ、インクリボンＩＲ及び両面粘着テープＤ１を装着することができる。
ここで、治具板２１は、前記ラミネート用カバーテープＹＴ、インクリボンＩＲ及び両面粘着テープＤ１を支持する被印字テープ用支持部２４、インクリボン用支持部２５及び粘着テープ用支持部２６を有するとともに、ラミネート用カバーテープＹＴ及び両面粘着テープＤ１の各走行通路に沿って形成された被印字テープ用案内部２７及び粘着テープ用案内部２８を有するので、その治具板２１を下側カセットＴ１に装着した状態で、前記被印字テープ用支持部２４、インクリボン用支持部２５及び粘着テープ用支持部２６に支持されたラミネート用カバーテープＹＴ、インクリボンＩＲ及び両面粘着テープＤ１を下側カセットＴ１側に移動させ、被印字テープ用引き回し治具２２及び粘着テープ用引き回し治具２３を、前記被印字テープ用案内部２７及び粘着テープ用案内部２８にそれぞれ係合させながら、ラミネート用カバーテープＹＴの先端及び両面粘着テープＤ１の先端を引き回し、これらラミネート用カバーテープＹＴの先端及び両面粘着テープＤ１の先端を相互に貼着することができる。
【００２７】
その結果、下側カセットＴ１内に両面粘着テープＤ１、インクリボンＩＲ、ラミネート用カバーテープＹＴを新たに詰め替えて装着することができ、再び上側カセットＴ２を下側カセットＴ１に取り付ければ、テープカセットＴＣとして再使用できるので、テープカセットＴＣのリサイクルが容易になる。
尚、必要に応じて、テープカセットＴＣの構成を変更し、上記支持板２１を上側カセットＴ２側に取り付けれるようにしても良い。
【００２８】
もっとも、テープカセット内には、必ずしもカバーテープを有する必要がなく、他の実施の形態として、例えば粘着層付きの被印字テープの表面にインクリボンのインクを転写するノンラミネートタイプのテープカセットを用いても良い。その場合、図７に示される治具板４１を使用するのが好適であり、図７は他の実施の形態の治具板４１を上側から見た平面図を示す。
その治具板４１は、粘着層付きの被印字テープＨＰを巻回したリールＴＳ１を支持する被印字テープ用支持部４４を備える他に、未使用のインクリボンＩＲを巻回したリボンリールＴＳ２を支持するインクリボン用支持部４５ａ、使用済みのインクリボンＩＲを巻回したリボンリールＴＳ３を支持するインクリボン用支持部４５ｂ（インクリボン用支持部４５と総称する）、及び、引き出されたインクリボンＩＲを支持するリボンガイド４７を備え、更に、被印字テープＨＰの各走行通路に沿って形成された被印字テープ用案内部４８を有する。
【００２９】
かかる場合、前述した実施の形態のテープカセットＴＣ（図２参照）と同様の上側カセットと下側カセットとからなるテープカセット内に、被印字テープＨＰを巻回したリールＴＳ１と、インクリボンＩＲを巻回したリボンリールＴＳ２、ＴＳ３とを回転可能に支持する構成であるので、各テープリールＴＳ１及びリボンリールＴＳ２から被印字テープＨＰ、インクリボンＩＲを引き出しつつインクリボンＩＲを介して被印字テープＨＰ上に文字等を印字して文字付テープを作成できる。
【００３０】
そのテープカセットに対し、被印字テープＨＰ及びインクリボンＩＲを装着する装着にあたって、治具板４１は、被印字テープＨＰ及びインクリボンＩＲを支持する被印字テープ用支持部４４及びインクリボン用支持部４５を有するとともに、被印字テープＨＰの走行通路に沿って形成された被印字テープ用案内部４８を有するので、その治具板４１を下側カセットに装着した状態で、被印字テープ用支持部４４及びインクリボン用支持部４５に支持された被印字テープＨＰ及びインクリボンＩＲを下側カセット側に移動させる。
かかる状態で、前述した実施の形態の被印字テープ用引き回し治具２２と同様な被印字テープ用引き回し治具（図示せず）を、治具板４１を上下に貫通する溝からなる被印字テープ用案内部４８に係合させながら、被印字テープＨＰの先端を引き回すので、インクリボンＩＲ及び被印字テープＨＰの詰め替えが容易にできる。その後、治具板４１を下側カセットＴ１から取り外して、上側カセットＴ２を下側カセットＴ１に取り付ければ、テープカセットとして再使用でき、テープカセットのリサイクルが容易になる。尚、必要に応じて、テープカセットの構成を変更し、上記支持板４１を上側カセット側に取り付けれるようにしても良い。
【００３１】
尚、本発明は前記実施形態に限定されるものではなく、本発明の要旨を逸脱しない範囲内で種々の改良、変形が可能であることは勿論である。例えばテープ装着用治具を、テープ詰め替え用治具以外として使用してもよいし、リサイクル以外の目的に使用してもよい。
また、テープ詰め替え用治具及びその治具を用いた詰め替え方法に収納されるテープとしては、例えば、粘着層付きの感熱発色テープを使用するダイレクトサーマルタイプを用いても何ら差し支えない。
【図面の簡単な説明】
【図１】  テープ詰め替え用治具収納部の収納カバーを開けて示すテープ印字装置の平面図である。
【図２】  その実施形態に係るテープ印字装置に使用されるテープカセットの拡大斜視図である。
【図３】  上カセットを外した状態の下カセットの内部を拡大して示す平面図である。
【図４】  その実施形態に係るテープ装着用治具等を拡大して示す分解斜視図である。
【図５】  図４に示される粘着テープ用支持部等を示す拡大断面図である。
【図６】  被印字テープ用引き回し治具及び粘着テープ用引き回し治具を結合した状態を拡大して示す斜視図である。
【図７】  他の実施の形態の支持板を示す平面図である。
【符号の説明】
１                      テープ印字装置
ＴＣ                    テープカセット
Ｔ１                    下側カセット
Ｔ２                    上側カセット
Ｄ１                    両面粘着テープ
ＩＲ                    インクリボン
ＹＴ                    ラミネート用カバーテープ
２０                    テープ装着用治具
２１、４１              治具板
２２                    被印字テープ用引き回し治具
２３                    粘着テープ用引き回し治具
２４、４４              被印字テープ用支持部
２５、４５              インクリボン用支持部
２６                    粘着テープ用支持部
２７、４８              被印字テープ用案内部
２８                    粘着テープ用案内部
２９                    連結部
ＨＰ                    被印字テープ
ＴＳ１                  リール
ＴＣ１                  粘着テープリール
ＴＣ２、ＴＳ２、ＴＳ３  リボンリール
ＴＣ３                  テープリール
【図１】
0003861474.tif 000002
【図２】
0003861474.tif 000003
【図３】
0003861474.tif 000004
【図４】
0003861474.tif 000005
【図５】
0003861474.tif 000006
【図６】
0003861474.tif 000007
【図７】
0003861474.tif 000008